(57)【要約】【課題】金銭出納表示欄と証憑書類とを見開きの両ページで対照できるように整理することができ、さらに、必要に応じて金銭出納表示部を切り離して利用することのできる会計日記帳を提供する。【解決手段】会計日記帳は両面に金銭出納記入欄１１ａを設けた１５枚の第１用紙１と、両面に証憑書類を貼付するための証憑書類綴じ欄２１ａを設けた１５枚の第２用紙２と、一面のみに金銭出納記入欄１１ａを設けた１枚の第３用紙と、一面のみに証憑書類綴じ欄２１ａを設けた１枚の第４用紙とを備える。第１用紙１、第２用紙２、第３用紙及び第４用紙には切断用ミシン目１４が設けられ、金銭出納表示部１１及び証憑書類綴じ部２１が切断可能にされている。更に出納表示部１１側及び上記証憑書類綴じ部２１側であって、ミシン目１４に沿って複数の綴じ穴１５が貫通して形成されている。【選択図】図６
0003119084.tif 000002
【実用新案登録請求の範囲】
【請求項１】
日付ごとに金銭出納が記録される冊子状の会計日記帳であって、
両面に金銭出納記入欄が設けられた複数枚の第１用紙と、
両面に証憑書類綴じ欄が設けられた複数枚の第２用紙と、
一面のみに金銭出納記入欄が設けられた第３用紙及び一面のみに証憑書類綴じ欄が設けられた第４用紙のうちの少なくともいずれか一方と、を備え、  
最初の第２枚目から、最後の１枚から数えて第２枚目までは、上記第１用紙と、上記第２用紙とが、１枚ずつ交互に重ねられ、
最初の第１枚目の裏面である第２ページは、該第３用紙の該一面であり、且つ第２枚目の用紙は、該第２用紙であるか、又は
該最初の第１枚目の裏面である第２ページは、該第４用紙の該一面であり、且つ第２枚目の用紙は、該第１用紙であり、
該最後の１枚の最終ページの前ページは、該第３用紙の該一面及び該第４用紙の該一面のうちのいずれか一方であり、且つ、
該最終ページの前ページが、該第３用紙の該一面である場合は、該最終ページの前々ページは該第２用紙の一面であり、
該最終ページの前ページが、該第４用紙の該一面である場合は、該最終ページの前々ページは該第１用紙の一面であり、
該第１用紙及び該第３用紙には、切断用ミシン目が設けられ、該切断用ミシン目により、金銭出納記入欄が設けられた金銭出納表示部が、切断可能にされていることを特徴とする会計日記帳。
【請求項２】
更に、上記第２用紙及び上記第４用紙には、切断用ミシン目が設けられ、該切断用ミシン目により、上記証憑書類綴じ欄が設けられた証憑書類綴じ部が切断可能にされている請求項１に記載の会計日記帳。
【請求項３】
更に、上記第１用紙、上記第２用紙、上記第３用紙及び上記第４用紙の各々に設けられた、上記金銭出納表示部及び上記証憑書類綴じ部には、上記金銭出納を記入し又は証憑書類を綴じた月及び日を表示するための日付欄が設けられている請求項１又は２に記載の会計日記帳。
【請求項４】
上記第３用紙の最初の1枚の他の一面には、該会計日記帳が金銭出納帳である旨、該第３用紙の金銭出納記入欄に金銭出納が記入される年及び月、並びに該会計日記帳を使用する者の名称を表示する欄が設けられた表示欄部を備え、上記第４用紙の最初の1枚の他の一面には、勘定科目の説明表示部を備えた請求項３に記載の会計日記帳。
【請求項５】
上記第３用紙及び上記第４用紙の最初の１枚の他の1面には、勘定科目の説明表示部と、金銭出納記入欄に金銭出納が記入された年及び月、並びに該会計日記帳を使用する者の名称を表示する欄が設けられた表示欄部と、を備えた請求項３に記載の会計日記帳。
【請求項６】
上記金銭出納表示部側及び上記証憑書類綴じ部側であって、上記切断用ミシン目に沿って複数の綴じ穴が貫通して形成されている請求項３乃至５のいずれか１項に記載の会計日記帳。
【請求項７】
上記複数の綴じ穴の数は、２個〜３０個である請求項６に記載の会計日記帳。
【請求項８】
上記金銭出納表示部及び上記証憑書類綴じ部の各々の大きさは、Ａ３、Ａ４、Ａ５、Ｂ４又はＢ５である請求項７に記載の会計日記帳。
【請求項９】
更に、上記証憑書類綴じ部には、収容袋が備えられている請求項８に記載の会計日記帳。
【請求項１０】
上記第１用紙及び上記第２用紙の各々の枚数は、１５枚〜５０枚である請求項８に記載の会計日記帳。
【請求項１１】
上記第１用紙及び上記第２用紙の各々の枚数は、１５枚〜１７枚である請求項１０に記載の会計日記帳。
【請求項１２】
上記第１用紙１５枚〜１７枚と、上記第２用紙１５枚〜１７枚と、上記第３用紙１枚と、上記第４用紙１枚とを備え、
第１枚目の裏面である第２ページは、該第４用紙の上記一面であり、且つ第２枚目の用紙は、該第１用紙であり、
最終ページの前ページは、該第３用紙の上記一面及び該第４用紙の該一面のうちのいずれか一方であり、且つ、
該最終ページの前ページが、該第３用紙の該一面である場合は、該最終ページの前々ページは該第２用紙の上記一面であり、
該最終ページの前ページが、該第４用紙の該一面である場合は、該最終ページの前々ページは該第１用紙の上記一面であり、
該第１用紙、該第２用紙、該第３用紙及び該第４用紙の各々には、切断用ミシン目が設けられ、該切断用ミシン目により、上記金銭出納表示部及び上記証憑書類綴じ部が切断可能にされ、
該金銭出納表示部及び該証憑書類綴じ部の大きさは、Ａ４又はＢ５であり、
該金銭出納表示部及び該証憑用紙綴じ部には、日付欄が設けられ、且つ、
該金銭出納表示部側及び該証憑書類綴じ部側であって、該切断用ミシン目に沿って２個又は３０個の綴じ穴が貫通して形成されている請求項１に記載の会計日記帳。
【請求項１３】
上記第１用紙１５枚〜１７枚と、上記第２用紙１５枚〜１７枚と、上記第３用紙１枚と、上記第４用紙１枚とを備え、
第１枚目の裏面である第２ページは、該第３用紙の上記一面であり、且つ第２枚目の用紙は、該第２用紙であり、
最終ページの前ページは、該第３用紙の該一面及び該第４用紙の該一面のうちのいずれか一方であり、且つ、
該最終ページの前ページが、該第３用紙の上記一面である場合は、該最終ページの前々ページは該第２用紙の上記一面であり、
該最終ページの前ページが、該第４用紙の上記一面である場合は、該最終ページの前々ページは該第１用紙の上記一面であり、
該第１用紙、該第２用紙、該第３用紙及び該第４用紙の各々には、切断用ミシン目が設けられ、該切断用ミシン目により、上記金銭出納表示部及び上記証憑書類綴じ部が切断可能にされ、
該金銭出納表示部及び該証憑用紙綴じ部には、日付欄が設けられ、
該金銭出納表示部及び該証憑書類綴じ部の大きさは、Ａ４又はＢ５であり、且つ、
該金銭出納表示部及び該証憑書類綴じ部側であって、該切断用ミシン目に沿って２個又は３０個の綴じ穴が貫通して形成されている請求項１に記載の会計日記帳。
【請求項１４】
上記４用紙の最初の1枚の他の一面には、勘定科目の説明表示部を備えた請求項１２に記載の会計日記帳。
【請求項１５】
上記第３用紙の最初の1枚の他の一面には、該第３用紙が金銭出納帳である旨、該第３用紙が記入された年及び月、並びに該第３用紙を使用する者の名称を表示する欄が設けられた表示欄部を備えた請求項１３に記載の会計日記帳。
【請求項１６】
上記第３用紙又は第４用紙の最初の１枚の他の１面には、勘定科目の説明表示部及び金銭出納記入欄に金銭出納が記入された年及び月、並びに該会計日記帳を使用する者の名称を表示する欄が設けられた表示欄部を備えた請求項１２又は１３に記載の会計日記帳。
【請求項１７】
更に、表表紙及び裏表紙を備え、且つ表表紙５の表面には、この冊子は会計日記帳である旨、金銭出納を記載した年及び月、記入した企業の名称の欄を設けられ、該表表紙の裏面には、この会計日記帳の記載方法等を表示した記載方法表示部が設けられた請求項１２乃至１６のいずれか１項に記載の会計日記帳。
【考案の詳細な説明】
【技術分野】
【０００１】
本考案は、会計日記帳に関し、更に詳しくは、見開きの両ページの各々は、金銭出納表示部及び証憑書類綴じ部を備え、この金銭出納表示部はミシン目を介して切断可能とされる会計日記帳に関する。
【背景技術】
【０００２】
従来より、金銭出納表示部と証憑書類をまとめて整理できる会計帳が考案されている（例えば実用新案文献１、２）。
しかし、いずれも金銭出納表示部の裏面に証憑書類綴じ部を設ける等としたものであり、一枚の用紙に金銭出納表示部と証憑書類綴じ部とが一体として構成されており、金銭出納表示部のみを切り離して利用することはできなかった。
【０００３】
【特許文献１】実開平３−３９５６３号公報
【特許文献２】実開平６−３２０５８号公報
【考案の開示】
【考案が解決しようとする課題】
【０００４】
以上より本考案は、上記現状に鑑みてなされたものであり、金銭出納表示部と証憑書類綴じ部とを見開きの両ページで対照できるように整理することができ、さらに、必要に応じて金銭出納表示部を切り離して利用することのできる会計日記帳を提供する。
【課題を解決するための手段】
【０００５】
１．日付ごとに金銭出納が記録される冊子状の会計日記帳であって、
両面に金銭出納記入欄が設けられた複数枚の第１用紙と、
両面に証憑書類綴じ欄が設けられた複数枚の第２用紙と、
一面のみに金銭出納記入欄が設けられた第３用紙及び一面のみに証憑書類綴じ欄が設けられた第４用紙のうちの少なくともいずれか一方と、を備え、  
最初の第２枚目から、最後の１枚から数えて第２枚目までは、上記第１用紙と、上記第２用紙とが、１枚ずつ交互に重ねられ、
最初の第１枚目の裏面である第２ページは、該第３用紙の該一面であり、且つ第２枚目の用紙は、該第２用紙であるか、又は
該最初の第１枚目の裏面である第２ページは、該第４用紙の該一面であり、且つ第２枚目の用紙は、該第１用紙であり、
該最後の最終ページの前ページは、該第３用紙の該一面及び該第４用紙の該一面のうちのいずれか一方であり、且つ、
該最終ページの前ページが、該第３用紙の該一面である場合は、該最終ページの前々ページは該第２用紙の一面であり、
該最終ページの前ページが、該第４用紙の該一面である場合は、該最終ページの前々ページは該第１用紙の一面であり、
該第１用紙及び該第３用紙には、切断用ミシン目が設けられ、該切断用ミシン目により、金銭出納記入欄が設けられた金銭出納表示部が、切断可能にされていることを特徴とする会計日記帳。
【０００６】
２．更に、上記第２用紙及び上記第４用紙には、切断用ミシン目が設けられ、上記切断用ミシン目により、上記証憑書類綴じ部が設けられた証憑書類綴じ部が切断可能にされている上記１に記載の会計日記帳。
３．更に、上記第１用紙、上記第２用紙、上記第３用紙及び上記第４用紙の各々に設けられた、上記金銭出納表示部及び上記証憑用紙綴じ部には、上記金銭出納を記入し又は証憑書類を綴じた月及び日を表示するための日付欄が設けられている上記１又は２に記載の会計日記帳。
４．上記第３用紙の最初の1枚の他の一面には、該会計日記帳が金銭出納帳である旨、該第３用紙の金銭出納記入欄に金銭出納が記入される年及び月、並びに該会計日記帳を使用する者の名称を表示する欄が設けられた表示欄部を備え、上記第４用紙の最初の1枚の他の一面には、勘定科目の説明表示部を備えた上記３に記載の会計日記帳。 
【０００７】
５．上記第３用紙及び上記第４用紙の最初の１枚の他の1面には、勘定科目の説明表示部及び金銭出納記入欄に金銭出納が記入された年及び月、並びに該第会計日記帳を使用する者の名称を表示する欄が設けられた表示欄部を備えた上記３に記載の会計日記帳。
６．上記金銭出納表示部側及び上記証憑書類綴じ部側であって、上記切断用ミシン目に沿って複数の綴じ穴が貫通して形成されている上記３乃至５のいずれか１項に記載の会計日記帳。
７．上記複数の綴じ穴の数は、２個〜３０個である上記６に記載の会計日記帳。
８．上記金銭出納表示部及び上記証憑書類綴じ部の大きさは、Ａ３、Ａ４、Ａ５、Ｂ４又はＢ５である上記７に記載の会計日記帳。
９．更に、上記証憑書類綴じ部には収容袋が備えられている上記８に記載の会計日記帳。
１０．上記第１用紙及び第２用紙の各々の枚数は、１５枚〜５０枚である上記８に記載の会計日記帳。
１１．上記第１用紙及び第２用紙の各々の枚数は、１５枚〜１７枚である上記１０に記載の会計日記帳。
１２．上記第１用紙１５枚〜１７枚と、上記第２用紙１５枚〜１７枚と、上記第３用紙１枚と、上記第４用紙１枚とを備え、
第１枚目の裏面である第２ページは、該第４用紙の上記一面であり、且つ第２枚目の用紙は、該第１用紙であり、
最終ページの前ページは、該第３用紙の上記一面及び該第４用紙の該一面のうちのいずれか一方であり、且つ、
該最終ページの前ページが、該第３用紙の該一面である場合は、該最終ページの前々ページは該第２用紙の上記一面であり、
該最終ページの前ページが、該第４用紙の該一面である場合は、該最終ページの前々ページは該第１用紙の上記一面であり、
該第１用紙、該第２用紙、該第３用紙及び該第４用紙の各々には、切断用ミシン目が設けられ、該切断用ミシン目により、上記金銭出納表示部及び上記証憑書類綴じ部が切断可能にされ、
該金銭出納表示部及び該証憑書類綴じ部の大きさは、Ａ４又はＢ５であり、
該金銭出納表示部及び該証憑用紙綴じ部には、日付欄が設けられ、且つ、
該金銭出納表示部側及び該証憑書類綴じ部側であって、該切断用ミシン目に沿って２個又は３０個の綴じ穴が貫通して形成されている上記１に記載の会計日記帳。
【０００８】
１３．上記第１用紙１５枚〜１７枚と、上記第２用紙１５枚〜１７枚と、上記第３用紙１枚と、上記第４用紙１枚とを備え、
第１枚目の裏面である第２ページは、該第３用紙の上記一面であり、且つ第２枚目の用紙は、該第２用紙であり、
最終ページの前ページは、該第３用紙の該一面及び該第４用紙の該一面のうちのいずれか一方であり、且つ、
該最終ページの前ページが、該第３用紙の上記一面である場合は、該最終ページの前々ページは該第２用紙の上記一面であり、
該最終ページの前ページが、該第４用紙の上記一面である場合は、該最終ページの前々ページは該第１用紙の上記一面であり、
該第１用紙、該第２用紙、該第３用紙及び該第４用紙の各々には、切断用ミシン目が設けられ、該切断用ミシン目により、上記金銭出納表示部及び上記証憑書類綴じ部が切断可能にされ、
該金銭出納表示部及び該証憑用紙綴じ部には、日付欄が設けられ、
該金銭出納表示部及び該証憑書類綴じ部の大きさは、Ａ４又はＢ５であり、且つ、
該金銭出納表示部及び該証憑書類綴じ部側であって、該切断用ミシン目に沿って２個又は３０個の綴じ穴が貫通して形成されている上記１に記載の会計日記帳。 
１４．上記４用紙の最初の1枚の他の一面には、勘定科目の説明表示部を備えた上記１２に記載の会計日記帳。
１５．上記第３用紙の最初の1枚の他の一面には、該第３用紙が金銭出納帳である旨、該第３用紙が記入された年及び月、並びに該第３用紙を使用する者の名称を表示する欄が設けられた表示欄部を備えた上記１３に記載の会計日記帳。
１６．上記第３用紙又は第４用紙の最初の１枚の他の１面には、勘定科目の説明表示部及び金銭出納記入欄に金銭出納が記入された年及び月、並びに該会計日記帳を使用する者の名称を表示する欄が設けられた表示欄部を備えた上記１２又は１３に記載の会計日記帳。
１７．更に、表表紙及び裏表紙を備え、且つ表表紙５の表面には、この冊子は会計日記帳である旨、金銭の出納を記載した年及び月、記入した企業の名称の欄を設けられ、該表表紙の裏面には、この会計日記帳の記載方法等を表示した記載方法表示部が設けられた上記１２乃至１６のいずれか１項に記載の会計日記帳。
【考案の効果】
【０００９】
本考案の会計日記帳は、金銭出納表示部のみを会計日記帳から、切断用ミシン目（以下「ミシン目」という。）を介して切り取ることができるため、この会計日記帳から分離して、スキャナー等で複写して電子メール等の送信に利用ができる。
また、金銭出納表示部と証憑書類綴じ部が、見開きで対照できるため、金銭出納記入欄の記入及び証憑書類の整理が容易である。
更に、証憑書類綴じ部は、切断可能にされているため、この会計日記帳から分離して利用することができる。
また、金銭出納記入欄及び証憑書類綴じ欄に記入又は綴じた月日の記入欄があれば、切り離した、金銭出納表示部と証憑書類綴じ部の整理が容易である。
更に、片面のみが金銭出納表示部である場合は、このページの裏側に、この用紙が金銭出納帳であり、記入された年及び月、並びにこの用紙の記入者等を表示することができるため、この金銭出納表示部を送信及び保管等に便利である。
また、片面のみが証憑書類綴じ部である場合、このページの裏側に、勘定科目の説明表示部を設けた場合は、記入者にとって便利である。
更に、上記裏側に、この用紙が金銭出納帳であり、記入された年及び月、並びにこの用紙の記入者等を表示し、且つ勘定科目の説明表示部を設けた場合は、記入者にとってより便利である。
また、金銭出納表示部及び前記証憑書類綴じ部側であって、ミシン目に沿って複数の綴じ穴が貫通して形成されていれば、ミシン目で切り取った後、穴を開けることなく直ちにバインダー等に保存することができ便利である。
【００１０】
更に、上記複数の綴じ穴数は、２個〜３０個であれば、市販のバインダーに対応することができる。
また、上記金銭出納表示部及び上記証憑書類綴じ部の大きさは、Ａ３、Ａ４、Ａ５、Ｂ４又はＢ５であれば、一般の規格に合致するため、書類の整理上便利である。
また、上記証憑書類綴じ部に収容袋が備えられていれば、証憑書類を糊等で貼付することが不適切な証憑書類を収容袋に入れて保存できるため便利である。
更に、上記第１用紙及び第２用紙の枚数は、各々１５枚〜４５枚であれば、会計日記帳１冊で１ヶ月分から３ヶ月分の使用ができるため、好ましい。
また、上記第１用紙及び第２用紙の枚数が、各々１５枚〜１７枚であれば、１ヶ月ごとの使用が可能であるため、便利である。
また、この会計日記帳に、表表紙及び裏表紙が備えられ、この表表紙に、この冊子は会計日記帳である旨、金銭の出納を記載した年及び月、記入した企業の名称の欄が設けられ、該表表紙の裏面には、この会計日記帳の記載方法等を表示した記載方法表示部が設けられる場合は、体裁を整え、冊子の種別を明確にし、及び強度を大きくできる。
【考案を実施するための最良の形態】
【００１１】
本考案の会計日記帳は、日付ごとの金銭出納が記入され、これに関する証憑書類が綴じられるものであり、金銭出納記入欄の設けられた部分はミシン目を介して切り取ることができる。また、本考案の会計日記帳を見開いた場合は、この見開き両ページのいずれか一方のページには、金銭出納記入欄が設けられ、他のページは証憑書類綴じ欄が設けられている。
以下、実施例に使用した図を参照しながら説明する。本考案の会計日記帳は、実施例及び参照する図に制限されるものではない。
この会計日記帳は、第１用紙１、第２用紙２並びに一面のみに金銭出納記入欄が設けられた第３用紙３及び一面のみに証憑書類綴じ欄が設けられた第４用紙４のうちの少なくともいずれか一方と、を備える。
【００１２】
（１）第１用紙
上記第１用紙１は、日付ごとの金銭出納を記入するための用紙である。この第１用紙は、上記第２用紙２、並びに一面のみに金銭出納記入欄１１ａが設けられた第３用紙３及び一面のみに証憑書類綴じ欄２１ａが設けられた第４用紙４のうちの少なくともいずれか一方と共に、冊子状に綴じられる。この第１用紙１は、最初の第２枚目から、最後から数えて第２枚目までに使用される。即ち、最初の１枚及び最後の１枚を除き上記第２用紙２と１枚ずつ交互に重ねられる。この重ね方は、上から第１用紙１を第１枚目とし、第２枚目が第２用紙２、第３枚目が第１用紙１と以下この順に重ねることができる。最後から数えて、第２枚目は第１用紙１であっても、第２用紙２であっても良い。また、上から第１枚目が第２用紙２となり、第２枚目が第１用紙１、第３枚目が第２用紙２と以下この順に重ねられることもできる。最後の１枚は第１用紙１であっても、第２用紙２であっても良い。
【００１３】
また、この第１用紙１の枚数は特に限定されないが、好ましくは１５〜５０枚、更に好ましくは１５枚〜３２枚、特に好ましくは1５枚〜１７枚である。この範囲であると、１〜３ヶ月分を月毎に整理することが容易となる。
この第１用紙１は、金銭出納表示部１１及びミシン目１４を備え、上記金銭出納表示部１１は第１用紙１の両面に設けられる。また、この金銭出納表示部１１には金銭出納記入欄１１ａが設ける（図１及び２参照）。この金銭出納記入欄１１ａは左欄に勘定科目、中央欄に金額、右欄に摘要欄等が設けられ、毎日の入金、出金の内容及びそれぞれの合計を記載することができる。更に日付欄１１ｂを設けることが好ましい。この日付欄は金銭出納記入欄１１ａに記入をした日付を記載する欄である。
【００１４】
上記ミシン目１４は、上記金銭出納表示部１１の切り取りが可能なように、設けられる（図１及び２参照）。このミシン目１４の位置は、金銭出納表示部１１を切り取ることができれば、特に限定されないが、本考案の会計日記帳は冊子状に冊子製造用綴じ部１６によって綴じられるため、この冊子製造用綴じ部１６近傍に設けることが好ましい（図１及び２参照）。上記金銭出納表示部１１は大きいほど記載が容易なためである。
また、このミシン目１４の孔の大きさ及び孔の間隔等は、切り取りが可能であれば特に限定されない。この第１用紙１は、切り取り可能であるため、支店、本店又は他にこれを必要とする者等に、ファクシミリ送信、又はスキャナーで読み取りメール送信等することが容易である。更に、両面に金銭出納記入欄１１ａが設けられているため、上記送信等が簡便且つ容易である。
上記冊子製造用綴じ部１６は、本考案の会計日記帳を冊子状に製本するための部であり、上記第１用紙１の端縁に設けられる（図１及び図２参照）。  
【００１５】
（２）第２用紙
上記第２用紙２は、領収書等の証憑書類を整理して綴じるための用紙である。この第２用紙２は、上記第１用紙１並びに一面のみに金銭出納記入欄１１ａが設けられた第３用紙３及び一面のみに証憑書類綴じ欄２１ａが設けられた第４用紙４のうちの少なくともいずれか一方と共に、冊子状に綴じられる。この第２用紙２は、最初の１枚及び最後の１枚を除き上記第１用紙２と１枚ずつ交互に重ねられる。即ち最初の第２枚目から、最後から数えて第２枚目までに使用される。この重ね方は、前記第１用紙１で記載した方法が適用できる。従って、この方法によれば、上記第１用紙１と上記第２用紙２とが綴じられた場合には、見開きのページの両ページは常に、一方のページには金銭出納表示部１１が設けられた第１用紙１の一面、他の一方のページには証憑書類綴じ部２１が設けられた第２用紙２の一面となる（図１及び図２参照）。
この第２用紙２の枚数は特に限定されないが、第１用紙と同様に、好ましくは１５〜５０枚、更に好ましくは１５枚〜３２枚、特に好ましくは1５枚から１７枚である。
この第２用紙２は、証憑書類綴じ部２１を備え（図１及び図２参照）、この第２用紙２の両面に設けられる（図６及び図７参照）。
【００１６】
この証憑書類綴じ部２１には、証憑書類綴じ欄２１ａが設けられる。証憑書類綴じ欄２１ａは、証憑書類を綴じる欄であり、この証憑書類を綴じる方法は特に限定されない。糊等の接着剤を用いて貼付する方法、ホチキスを用いて綴じる方法、又は、あらかじめ証憑書類綴じ部２１に接着剤を塗布し、この塗布部を剥離紙で覆い、証憑書類を貼付するときにこの剥離紙をはがして、綴じる方法等とすることができる。
また、証憑書類綴じ部２１には、現金残高記入欄２１ｃ及びメモ欄２１ｄ等を設けることができる。更に、前記金銭出納表示部１１の日付欄１１ｂと同様の日付欄２１ｂを設けることが好ましい。この日付欄２１ｂは、証憑書類綴じ欄２１ａを貼付した日付を記載する欄である。現金残高記入欄２１ｃは、現金の金種とその数及び合計金額を記載する欄であり、金銭出納記入欄１１ａの合計金額と照合するために用いる。また、メモ欄２１ｄは自動販売機での購入による出金等の証憑書類が存在しない場合等に、本欄に記載する。
【００１７】
更に、証憑書類綴じ欄２１ａには、証憑書類を収容するための収容袋２２（図３参照）を備えることができる。上記証憑書類を糊等で貼付することが不適切な場合等は、上記証憑書類をこの収容袋２２に入れて保管できる。この袋の材質、形状及び大きさは適宜選択できる。この収容袋２２は透明の袋であることが好ましい。この場合、袋の外から証憑書類を識別することが可能となるためである。この収容袋２２の取りつけ方法は特に制限されない。例えば、接着部２２１に接着剤等で取り付けることができる。
また、この第２用紙２は、第１用紙１と同様にミシン目１４を備えることができる（図１及び２参照）。この場合、この証憑書類綴じ部２１は、上記ミシン目１４を介して切り取って、他のバインダー等に保管することができる。
【００１８】
（３）第３用紙
第３用紙３は、日付ごとの金銭出納を記入するための用紙である。本考案の会計日記帳の第１枚目に使用することができ、最後の１枚に使用することもできる。また、第１枚目及び最後の１枚の両方にも使用することができる。第４用紙４が第１枚目及び最後の１枚の両方に使用された場合は、この第３用紙３は使用されない。
この第３用紙３は、第１用紙と同様の金銭出納表示部１１及びミシン目１４を備える。この金銭出納表示部１１は、この第３用紙３の一面のみに備えられ、この金銭出納表示部１１には第１用紙１と同様の金銭出納記入欄１１ａが設けられる。この第３用紙３が、第１枚目に使用される場合は、第１枚目の裏面即ち第２ページ（この場合、表面が第１ページになる）に、金銭出納表示部１１が設けられることとなる。この場合第３ページは証憑書類綴じ部２１が設けられた第２用紙の一面となる（この場合、第２用紙の他の面が第４ページとなる）。また、この第３用紙３が最後の１枚になる場合は、最後の１枚の表面即ち最終ページの前ページ（この場合、最後の１枚の裏面が最終ページになる）に金銭出納表示部１１が設けられることとなる。この最終ページの前ページ及び前々ページを見開いた場合、該前々ページは証憑書類綴じ部２１が設けられた第２用紙の一面となる。従って、本考案の会計日記帳を見開いた場合は、常に両ページのいずれか一方のページは、金銭出納表示部１１が設けられ用紙の一面であり、他の一方のページは、証憑書類綴じ部２１が設けられ用紙の一面となる（図６及び図７参照）。
【００１９】
上記第３用紙３が、第１枚目の用紙として用いられる場合は、第１ページには、金銭出納表示部１１を設ける必要がないため、このページには金銭出納帳である旨、該第３用紙３の金銭出納記入欄に金銭出納が記入された年及び月、並びに該第３用紙を使用する者の名称等を表示する欄が設けられた表示欄部を備えることができる（図４参照）。また、この第１ページには、上記表示欄部と、この勘定科目の説明表示部４１（図５参照）と、の両方を設けることができる（図１０参照）。この金銭出納表示部１１をファクシミリ送信又はメール送信した場合に、これを受けとった者が、送信されてきた書類の種別が容易に判別できる。また、この金銭出納表示部１１を保管する者にとっては、整理が容易となる。
更に、この第３用紙３が最後の１枚に使用される場合は、最終ページの前ページのみに、この第３用紙３の金銭出納表示部１１が設けられ、証憑書類綴じ部２１と見開きで対照できる。この最終ページには、金銭出納表示部１１を設ける必要がないため、勘定科目の説明表示部４１等を設けることができ、又はメモ欄等として利用できる。この第３用紙３には、上記ミシン目１４が、前記第１用紙１と同様に設けられる。
【００２０】
（４）第４用紙
第４用紙４は、証憑書類を整理して綴じるための用紙である。本考案の会計日記帳の第１枚目に使用することでき、最後の１枚に使用することもできる。また、第１枚目及び最後の１枚の両方に使用することができる。前記第３用紙３が第１枚目及び最後の１枚の両方に使用された場合は、この第４用紙４は使用されない。
この第４用紙４は、一面のみに、第２用紙２と同様の証憑書類綴じ部２１を備える。この第４用紙４が、第１枚目に使用される場合は、第１枚目の裏面即ち第２ページに、証憑書類綴じ部２１が設けられることとなる。この場合第３ページは金銭出納表示部１１が設けられた第１用紙の一面となる。また、この第４用紙４が最後の１枚になる場合は、最後の１枚の表面、即ち最終ページの前ページに証憑書類綴じ部２１が設けられることとなる。
この最終ページの前々ページ及び前々ページを見開いた場合、最終ページの前々ページは金銭出納表示部１１が設けられた第１用紙１の一面となる。
従って、本考案の会計日記帳を見開いた場合は、常に両ページのいずれか一方のページは、金銭出納表示部１１が設けられた用紙の一面であり、他の一方のページは、証憑書類綴じ部２１が設けられた用紙の一面となる（図６及び図７参照）。
【００２１】
また、上記証憑書類綴じ部２１は、第２用紙と同様の証憑書類綴じ欄２１ａが設けられ、更に現金残高記入欄２１ｃ、メモ欄２１ｄ及び日付欄２１ｂを設けることができる。また、この証憑書類綴じ欄２１ａには、第２用紙と同様の証憑書類を収容するための収容袋２２を備えることができる(図３参照)。この第４用紙４が、第１枚目の用紙として用いられる場合は、第１ページを勘定科目の説明表示部４１(図５参照)を設けることができる。また、この第１ページには、前記表示欄部と、上記勘定科目の説明表示部４１（図５参照）と、の両方を設けることができる（図１０参照）。
更に、この第４用紙４が最後の１枚の用紙として用いられる場合は、最終ページはメモ欄等として用いることができる。
上記第１用紙１から第４用紙４の上記金銭出納表示部１１又は上記証憑書類綴じ部２１の各々の大きさは、一般的な規格と一致させるためＡ４、Ａ５、Ｂ４又はＢ５のサイズとすることが好ましい。特に、Ａ４サイズが好ましい。
また、本考案の会計日記帳は、上記以外の他の用紙を備えることもできる。
【００２２】
（５）他の用紙
本考案の会計日記帳は、更に、表表紙５を備えることができる。体裁を整え、冊子の種別を明確にし、及び強度を大きくする等のためである。この表表紙５の表面には、この冊子は会計日記帳である旨、金銭の出納を記載した年及び月、記入した企業の名称等の欄を設けることができ、同裏面には、この会計日記帳の使用方法等を記載することもできる（図８及び図９参照）。更に、本考案の会計日記帳は、裏表紙６を備えることができる。体裁を整え及び強度大きくする等のためである。この表表紙５及び裏表紙６にも、上記第１用紙１乃至第４用紙４と同様に綴じ穴１５を設けることもできる。この綴じ穴１５の数、位置は、市販のバインダーに適合するよう、２穴〜３０穴とすることができる。これらのうちで、２穴又は３０穴が特に好ましい。また、上記第１用紙〜第４用紙及びその他の用紙の大きさは、綴じて一冊の会計日記帳を構成するため、すべて同一の大きさである。
【００２３】
この会計日記帳の使用方法の例を図１に基づいて説明する。右ページの金銭出納記入欄１１ａに入金、出金について記入して、日付欄１１ｂにその日の日付を記入する。また、左頁には、その日の入金、出金に係る証憑書類を証憑書類綴じ欄２１ａに綴じておく。その後、金銭出納表示部１１のみをミシン目１４で切り取って、両面をスキャナーで読み取り、例えば支店から本店へと電子メール等で送信することができる。この切り取った金銭出納表示部１１は、月毎にまとめて綴じ穴１５を利用して別のバインダーに綴じ、金銭出納帳として利用できる。また、会計日記帳に残った証憑書類綴じ部２１はそのまま証憑書類綴じ帳として利用できる。更に、切り取った金銭出納表示部１１を元の会計日記帳に戻して、証憑書類と対照できるように綴じ穴１５を利用してバインダーに綴じ込んで利用することもできる。また、証憑書類綴じ部２１も、第２用紙２から切り取り可能とすると、証憑書類綴じ部２１を会計日記帳から切り取って保管することもできる。
【００２４】
本考案の会計日記帳の製造方法は特に限定されない。周知の方法で製造することができる。例えば、一枚の用紙の対称中心線に対して、対称となる対称面の各々に、冊子製造用綴じ部１６を設け、その後、所定の欄等を印刷し、次いで必要に応じて対称中心線に対して平行であって、上記綴じ部近傍にミシン目１４を設ける。その後、各々の用紙が所定の順になるようにこの用紙を重ねて、この重ねられた複数枚の用紙を、略対称中心線上でホチキス等を用いて綴じることもできる。また、綴じ穴１５は、冊子状に製本した後に設けることもできる。更に、他の例としては、上記第１用紙１乃至上記第４用紙４の各々を製造し、次いで所定の用紙にミシン目１４を設け、その後これらの用紙を、前記した所定の順に重ねて、冊子を製造するための綴じ部１６を糊等の接着剤で綴じることができる。また、ホチキス等の書類綴じ具を用いて綴じることもできる。
【実施例】
【００２５】
（１）実施例１
本考案の会計日記帳の実施例の一態様を分解斜視図６及び図７で説明する。この実施例では、図６に示すように、表表紙５の側から、表表紙５、第４用紙、第１用紙１、第２用紙２、第１用紙１、と続き、以下、交互に、第２用紙２、第１用紙１がこの順に重ねられている。また、裏表紙６の前の２枚目は、第２用紙２であり、裏表紙６の前の１枚目は第３用紙３であり、最後に、裏表紙６が重ねられる。
また、図７は、上記図６を裏側から見たものである。即ち、上記図６及び上記図７は、本実施例に用いた各用紙の表裏のページを表している。
表表紙５の表面には、会計日記帳である旨等の欄を設けてあり（図６及び図８参照）、同裏面には、この会計日記帳の使用方法が記載されている（図７及び図９参照）。
表表紙５から第１枚目である第４用紙４の表面には、勘定科目の説明表示部４１が設けてあり (図６及び図５参照）、同裏面は証憑書類綴じ欄２１ａ、現金残高記入欄２１ｃ及びメモ欄２１ｄが設けてある。
表表紙５から第２枚目である第１用紙１はその両面に金銭出納欄１１ａが設けてある。  また、裏表紙６の前の１枚目である第３用紙３の金銭出納欄１１ａが設けてあり、同裏面はメモ欄となっている。
更に、裏表紙６の前の２枚目である第２用紙２はその両面に証憑綴じ欄２１ａ等が設けてある（図６及び図７参照）。従って、本実施例では、図１及び図２に示すように、いずれの見開きページも、金銭出納表示部１１と証憑書類綴じ部２１を対照することができる。
また、第１用紙１及び第２用紙２は、各々１５枚であり、第１用紙１乃至第４用紙４には、Ａ４サイズの金銭出納表示部１１及び証憑書類綴じ部２１が、切り取りが可能なように、冊子端縁部から１０ｍｍの位置にミシン目１４が設けられ、会計日記帳全体が、ミシン目１４に沿って冊子端縁部から２０ｍｍの位置に２穴の綴じ穴１５が設けられている。
（２）実施例２
上記実施例１の図６及び７において、第４用紙４を第３用紙３に、第３用紙３を第４用紙４に、第２用紙２を第１用紙１に、第１用紙１を第２用紙２に、置き換えた以外は実施例２と同様とした。
（３）実施例３
実施例２の第３用紙３の表面に、金銭出納帳である旨、第３用紙３の金銭出納記入欄に金銭出納が記入された年及び月、並びに第３用紙を使用する者の名称等を表示する欄が設けられた表示欄部（図４参照）を備えたこと以外は、実施例２と同様にした。
（４）実施例４
第２用紙２及び第４用紙４の証憑書類綴じ欄２１ａに、証憑書類収容袋２２（図３参照）を設けた以外は、上記実施例１、２及び３と同様とした。
【産業上の利用可能性】
【００２６】
金銭出納表示部が切り取り可能であり、見開き両ページで金銭出納記入欄及び証憑書類綴じ欄を対照することができる会計日記帳として利用される。
【図面の簡単な説明】
【００２７】
【図１】本実施例の会計日記帳を見開いた場合の、見開き両ページの状態を示す説明図である。
【図２】本実施例の会計日記帳を見開いた場合の、見開き両ページの状態を示す他の態様の説明図である。
【図３】本実施例の会計日記帳の収容袋を備えた第２用紙の平面図である。
【図４】本実施例の会計日記帳において、第３用紙を第１枚目に用いた場合の裏面図である。
【図５】本実施例の会計日記帳において、第４用紙を第１枚目に使用した場合の裏面図である。
【図６】本実施例の会計日記帳を表側から見た場合の、各用紙の重なり状態を示す分解斜視説明図である。
【図７】本実施例の会計日記帳を裏側から見た場合の、各用紙の重なり状態を示す分解斜視説明図である。
【図８】本実施例の会計日記帳の表表紙の平面図である。
【図９】本実施例の会計日記帳の表表紙の裏面図である。
【図１０】本実施例の会計日記帳において、第３用紙又は第４用紙を第１枚目に用いた場合の他の態様の裏面図である。
【符号の説明】
【００２８】
１；第１用紙、１１；金銭出納表示部、１１ａ；金銭出納記入欄、１１ｂ；日付欄、２；第２用紙、２１；証憑書類綴じ部、２１ａ；証憑書類綴じ欄、２１ｂ；日付欄、３；第３用紙、４；第４用紙、５;表表紙、１４；ミシン目、１５；綴じ穴、１６；冊子製造用綴じ部、収容袋；２２
【図１】
0003119084.tif 000003
【図２】
0003119084.tif 000004
【図３】
0003119084.tif 000005
【図４】
0003119084.tif 000006
【図５】
0003119084.tif 000007
【図６】
0003119084.tif 000008
【図７】
0003119084.tif 000009
【図８】
0003119084.tif 000010
【図９】
0003119084.tif 000011
【図１０】
0003119084.tif 000012